(57)【要約】【課題】ユーザの所望のタイミングで送信処理を行うことが可能なファクシミリ装置を提供する。【解決手段】制御部１０は、読取部１２にて原稿を１頁読み取る都度、「次の原稿の読み取りを継続して行う」か、「送信してファクシミリ通信を終了する」か、又は、「送信してから次の原稿の読み取りを継続して行う」かの何れかを選択するように促す画面を表示部１７に表示し、画面の表示内容に対する選択指示を操作部１５において受け付け、受け付けた選択指示に応じて原稿の読み取り及び画像データの送信を行う。【選択図】        図２
2004266782.tif 000002
【特許請求の範囲】
【請求項１】
原稿の読み取りと並行して、原稿を読み取って得られる画像データを、通信ネットワークを介して送信することでファクシミリ通信を行うファクシミリ装置において、原稿を読み取った後に、画像データを送信してから次の原稿の読み取りを継続して行うか、又は、画像データを送信してファクシミリ通信を終了するかの何れかの選択指示を受け付ける手段を備え、受け付けた選択指示に応じて原稿の読み取り及び画像データの送信を行うように構成してあることを特徴とするファクシミリ装置。
【請求項２】
原稿の読み取りと並行して、原稿を読み取って得られる画像データを、通信ネットワークを介して送信することでファクシミリ通信を行うファクシミリ装置において、原稿を所定頁数読み取る都度、次の原稿の読み取りを継続して行うか、画像データを送信してファクシミリ通信を終了するか、又は、画像データを送信してから次の原稿の読み取りを継続して行うかの何れかの選択指示を受け付ける手段を備え、受け付けた選択指示に応じて原稿の読み取り及び画像データの送信を行うように構成してあることを特徴とするファクシミリ装置。
【請求項３】
読み取った原稿の頁数、又は、原稿を読み取って得られた画像データのデータ量を計数する計数手段を備え、該計数手段の計数結果に基づいて、原稿を所定頁数読み取る都度、又は、画像データを所定データ量作成する都度、画像データの送信を行うように構成してあることを特徴とする請求項１又は２に記載のファクシミリ装置。
【発明の詳細な説明】
【０００１】
【発明の属する技術分野】
本発明は、ファクシミリ装置に関し、より具体的にはインターネット、ローカルエリアネットワーク（ＬＡＮ（Ｌｏｃａｌ  Ａｒｅａ  Ｎｅｔｗｏｒｋ））などの通信ネットワークを介して電子メールとして画像データを送信可能としたいわゆるインターネットファクシミリ装置に関する。
【０００２】
【従来の技術】
従来のインターネットファクシミリ装置（以下、ファクシミリ装置）は、送信すべき原稿を読み取って、例えばＭＨ、ＭＲ、ＮＭＲなどの符号化方式により符号化イメージデータ（ファクシミリ通信用画像データ。以下、画像データ）を作成する。そして、その画像データを電子メール形式に変換し、さらにその変換が終了した後に電子メールを送信先へ送信することにより、ファクシミリ通信を実現している。また最近では、ファクシミリ通信に必要な時間をより短くすべく、原稿の読み取りと並行して、画像データを電子メール形式に変換して電子メールを送信するようにした装置が提案されている。
【０００３】
【特許文献１】
特開２００１−３５２４１８号公報
【０００４】
【発明が解決しようとする課題】
上述したようなファクシミリ装置においては、原稿の読み取りを継続して行うことにより、並行して逐次送信処理が行われるため、送信のタイミングをユーザ側で指示することは不可能であった。
また、上述したようなファクシミリ装置においては、原稿を読み取って得られる画像データは画像メモリに一時的に記憶され、電子メールの送信処理を行うべく、画像メモリから読み出されて電子メール形式に変換される。このとき、原稿の読み取りよりも、送信処理の方がより多くの時間を要する上に、画像メモリの記憶容量には上限があるため、大量の原稿を送信すべき場合に、続けて画像データを画像メモリに記憶することが不可能（メモリオーバー）になるときがある。このときには、残りの原稿を続けて読み取ることが不可能となるため、原稿の読み取りを一旦停止して、画像メモリに記憶されている画像データを消去するための何らかの処理を行う必要があり、この結果、ファクシミリ通信を円滑に行うことができない恐れがある。
【０００５】
本発明は斯かる事情に鑑みてなされたものであって、その目的とするところは、原稿読み取り後に、以降の処理についての選択項目の中からの選択指示を受け付ける手段を備えることにより、ユーザの所望のタイミングで送信処理を行うことが可能なファクシミリ装置を提供することにある。
【０００６】
また本発明の他の目的は、原稿を所定頁数読み取る都度、又は、画像データを所定データ量作成する都度、画像データの送信を行うように構成してあることにより、画像メモリにおいてメモリオーバーが発生するのを低減してファクシミリ通信をより円滑に行うことが可能なファクシミリ装置を提供することにある。
【０００７】
【課題を解決するための手段】
第１発明に係るファクシミリ装置は、原稿の読み取りと並行して、原稿を読み取って得られる画像データを、通信ネットワークを介して送信することでファクシミリ通信を行うファクシミリ装置において、原稿を読み取った後に、画像データを送信してから次の原稿の読み取りを継続して行うか、又は、画像データを送信してファクシミリ通信を終了するかの何れかの選択指示を受け付ける手段を備え、受け付けた選択指示に応じて原稿の読み取り及び画像データの送信を行うように構成してあることを特徴とする。
【０００８】
第１発明においては、原稿を読み取った後に、画像データを送信してから次の原稿の読み取りを継続して行うか、又は、画像データを送信してファクシミリ通信を終了するかの何れかの選択指示を受け付ける手段を備えることにより、ユーザの都合に合わせて、原稿の読み取りの継続又は送信後終了することができるので有用である。
【０００９】
第２発明に係るファクシミリ装置は、原稿の読み取りと並行して、原稿を読み取って得られる画像データを、通信ネットワークを介して送信することでファクシミリ通信を行うファクシミリ装置において、原稿を所定頁数読み取る都度、次の原稿の読み取りを継続して行うか、画像データを送信してファクシミリ通信を終了するか、又は、画像データを送信してから次の原稿の読み取りを継続して行うかの何れかの選択指示を受け付ける手段を備え、受け付けた選択指示に応じて原稿の読み取り及び画像データの送信を行うように構成してあることを特徴とする。
【００１０】
第２発明においては、原稿を所定頁数読み取る都度、次の原稿の読み取りを継続して行うか、画像データを送信してファクシミリ通信を終了するか、又は、画像データを送信してから次の原稿の読み取りを継続して行うかの何れかの選択指示を受け付ける手段を備えることにより、原稿の読み取りを継続し、ある段階で一旦読み取りを停止して送信処理を行う、又は、読み取りを継続して行わずに送信して終了するなど、ユーザの所望のタイミングで送信処理を行うことができるので有用である。
【００１１】
第３発明に係るファクシミリ装置は、第１発明又は第２発明において、読み取った原稿の頁数、又は、原稿を読み取って得られた画像データのデータ量を計数する計数手段を備え、該計数手段の計数結果に基づいて、原稿を所定頁数読み取る都度、又は、画像データを所定データ量作成する都度、画像データの送信を行うように構成してあることを特徴とする。
【００１２】
第３発明においては、原稿を所定頁数読み取る都度、又は、原稿を読み取って画像データを所定データ量作成する都度、画像データの送信を行うようにしてあることにより、画像メモリにおいてメモリオーバーが発生するのを低減させることができるので、一段と有用である。
【００１３】
【発明の実施の形態】
以下、本発明をその実施の形態を示す図面に基づいて説明する。
図１は本発明に係るファクシミリ装置が接続された態様の通信ネットワーク構成を示す模式図である。１Ａ、１Ｂ、１Ｃ、１Ｄは本発明に係るファクシミリ装置（以下、ＩＮＦＡＸ）である。なお、ＩＮＦＡＸ１Ａ、１Ｂ、１Ｃ、１Ｄ（以下、区別が不要な場合にはＩＮＦＡＸ１とすることもある）は公衆電話回線網（以下、ＰＳＴＮ）を用いた従来からのファクシミリ装置としても利用可能であることは言うまでもないので、図においてＰＳＴＮとの接続の態様は省略している。
【００１４】
ＬＡＮには、ＩＮＦＡＸ１Ａ、１Ｂ、メールサーバ（以下、ＭＳ）３Ａ、パーソナルコンピュータ（以下、ＰＣ）２Ａなどが接続されており、これらの装置（ＩＮＦＡＸ１Ａ、１Ｂ、ＰＣ２Ａなど）はＭＳ３Ａを介して相互に電子メールによる通信（送信、受信）が可能なように構成されている。また、ＬＡＮはルータ４を介してインターネットＩＮに接続されており、インターネットＩＮにはＬＡＮと同様にＩＮＦＡＸ１Ｃ、１Ｄ、ＭＳ３Ｂ、ＰＣ２Ｂなどが接続されており、これらの装置（ＩＮＦＡＸ１Ｃ、１Ｄ、ＰＣ２Ｂなど）はＭＳ３Ｂを介して相互に電子メールによる通信が可能なように構成されている。さらに、ＬＡＮに接続された各装置とインターネットＩＮに接続された各装置とはＭＳ３Ａ、３Ｂ、ルータ４を介して相互に電子メールによる通信が可能な構成とされている。
【００１５】
図２は本発明に係るファクシミリ装置の内部構成例を示すブロック図である。本発明に係るファクシミリ装置であるＩＮＦＡＸ１は、ＣＰＵで構成された制御部１０を備えている。制御部１０はバス１１を介して読取部１２、記録部１３、操作部１５、ＬＡＮインタフェース（以下、ＬＡＮＩＦ）１６、表示部１７、ＲＯＭ１８、ＲＡＭ１９、画像メモリ２０、モデム２１、回線制御部（以下、ＮＣＵ）２２、ハードディスク（以下、ＨＤ）２３、データ変換部２４と接続され、これら各部を制御し、ＲＯＭ１８に予め格納されているコンピュータプログラムに従って各種の機能を実行する。
【００１６】
読取部１２は、ＣＣＤなどを利用したスキャナで送信すべき原稿を読み取り、図示しないＣＯＤＥＣなどにより、例えば白黒２値に変換して符号化された画像データを作成して出力し、バス１１を介してＤＲＡＭなどにより構成されている画像メモリ２０に記憶させる。この際の符号化方式として、ＭＨ、ＭＲ、ＮＭＲなどの符号化方式がファクシミリ通信の規格により定められている。原稿読み取り時のスキャナ方式としてはＦＢＳ（Ｆｌａｔ  Ｂｅｄ  Ｓｃａｎｎｅｒ）、ＡＤＦ（Ａｕｔｏ  Ｄｏｃｕｍｅｎｔ  Ｆｅｅｄｅｒ）があるがいずれでもよい。なお、ＣＯＤＥＣなどの符号化部を読取部１２とは別個に設けて符号化を行ってもよいことは言うまでもない。
記録部１３は電子写真方式などのプリンタ装置であり、他のファクシミリ装置からファクシミリ通信により受信したイメージデータ、又は通信ネットワークにより受信したイメージデータをハードコピーとしてプリントアウトして記録する。
【００１７】
操作部１５は、ＩＮＦＡＸ１を操作するために必要な文字キー、テンキー、短縮ダイヤルキー、ワンタッチダイヤルキー、各種のファンクションキーなどを備え、入力部をも兼ねる形態としておく。なお、上述の表示部１７をタッチパネル方式とすることにより、この操作部１５の各種キーのうちの一部又は全部を代用することも可能である。
【００１８】
ＬＡＮＩＦ１６は、ＩＮＦＡＸ１（例えばＩＮＦＡＸ１Ａ）がＬＡＮを介して他のＩＮＦＡＸ１（１Ｂ）、ＰＣ（２Ａ）、ＭＳ（３Ａ）と通信を行うためのインタフェースであり、またルータ（４）を介してインターネットＩＮとも接続され、他のＩＮＦＡＸ１（１Ｃ、１Ｄ）、ＰＣ（２Ｂ）、ＭＳ（３Ｂ）と通信を行うこともできる。
【００１９】
表示部１７は、液晶表示装置（ＬＣＤ）などの表示装置であり、ＩＮＦＡＸ１の動作状態を表示し、さらには、送信すべき原稿のイメージデータ（画像データ）、受信したイメージデータ（画像データ）、ＨＤ２３に記録蓄積された画像データなどの表示を行う。
【００２０】
ＲＡＭ１９は、制御部１０によるコンピュータプログラムの実行時に発生する一時的なデータを記憶するもので、例えばＤＲＡＭ、フラッシュメモリなどにより構成される。ＨＤ２３は大容量のメモリであり、画像データの蓄積、電子メールアドレス、ファクシミリ番号、送信先名称、短縮キー対応ファクシミリ番号、電話番号などの記憶を適宜行う。
【００２１】
モデム２１は、ファクシミリ通信が可能なファクシミリモデムにより構成されている。モデム２１にはＮＣＵ２２が直接的に接続されており、ＮＣＵ２２は、ＰＳＴＮに対する接続、又は切断を行い、必要に応じてモデム２１をＰＳＴＮに接続し、ＩＮＦＡＸ１と外部のファクシミリ装置（電子メールによらない従来型のファクシミリ装置）との間のファクシミリ通信の制御を行う。
【００２２】
データ変換部２４は、上述したファクシミリ通信規格に従って符号化された原稿の画像データを、例えば、ＴＩＦＦ（Ｔａｇｇｅｄ  Ｉｍａｇｅ  Ｆｉｌｅ  Ｆｏｒｍａｔ）形式、ＰＤＦ形式の画像フォーマットに変換して電子メールでの送信が可能なデータ構造とする。送信に際して、ＴＩＦＦ形式の画像フォーマットは、例えば、ＭＩＭＥ（Ｍｕｌｔｉｐｕｒｐｏｓｅ  Ｉｎｔｅｒｎｅｔ  Ｍａｉｌ  Ｅｘｔｅｎｓｉｏｎｓ  ）のｂａｓｅ６４を利用してバイナリデータからテキストデータへバイナリ／テキスト変換（エンコード）される。なお、受信時には、データ変換部２４は、送信時とは逆の変換を行う構成とできることは言うまでもない。
【００２３】
データ変換部２４にはさらに電子メール送信に際して必須の電子メールヘッダを作成する機能を持たせてもよい。電子メールヘッダには電子メール発信日時、電子メール発信元、電子メール送信先、電子メールの付加的情報（例えば題名）などの情報が含まれる。なお、付加的情報にはインターネットＩＮを利用したファクシミリ通信であることを示すコード（ＩＦＡＸ）などを適宜含めておく。
【００２４】
次に、本発明に係るファクシミリ装置の制御部１０の処理手順を、図３、図４及び図５に示すフローチャートに基づいて説明する。
なお、本実施の形態においては、原稿を１頁読み取る都度（５頁などの所定頁数読み取る都度であってもよい）、以降の処理について選択を催促する画面を表示部１７に表示し、表示内容に対して選択指示を操作部１５において受け付け、受け付けた内容に基づいて以降の処理を行う。
また、原稿を１０頁などの所定頁数読み取る都度、一旦読み取りを停止して送信処理を行う。なお、原稿を読み取って画像データを所定データ量作成する都度、一旦読み取りを停止して送信処理を行うものであってもよい。
【００２５】
まず、制御部１０は、電子メール送信をする送信先の電子メールアドレスの入力を操作部１５において受け付ける（ステップＳ１１ａ）。送信先の電子メールアドレスが既にＨＤ２３に登録されている場合には、登録リストを呼び出してその中から適宜選択する形態とすることが可能である。次に、制御部１０は、本文の選択を受け付ける（ステップＳ１１ｂ）。電子メールに本文を付与するか否か、付与するときはどの内容の本文を付与するか、予め複数設けてある本文から所望の本文を操作部１５において選択する構成とし、選択を入力として受け付ける。全ての電子メールに同一の本文を付与する選択、メール毎に異なる本文を付与する選択など任意に本文を選択することができる構成としておく。制御部１０は、さらに送達確認通知要求の設定を受け付ける（ステップＳ１１ｃ）。送達確認通知要求は、ＤＳＮ（Ｄｅｌｉｖｅｒｙ    Ｓｔａｔｕｓ    Ｎｏｔｉｆｉｃａｔｉｏｎ：配信状態通知）、ＭＤＮ（Ｍｅｓｓａｇｅ    Ｄｉｓｐｏｓｉｔｉｏｎ    Ｎｏｔｉｆｉｃａｔｉｏｎ：メッセージ処理通知）などのインターネット機構を活用することにより実現できる。送達確認通知要求を操作部１５において設定する構成とし、ＤＳＮ、ＭＤＮなどにより、任意の電子メールに設定できるようにしておく。以上のような設定をした後、制御部１０は、電子メール送信の指示（電子メール送信操作）を操作部１５において受け付ける（ステップＳ１２）。
電子メール送信の指示を受け付けた操作部１５からの信号により、制御部１０は、読取部１２に原稿の読み取りを開始させ（ステップＳ１３）、さらに原稿の読み取りと並行して、得られる画像データを変換して電子メールを送信する処理を進める（ステップＳ１４）。そして、制御部１０は、１頁の読み取りが完了したか否かを判定し（ステップＳ１５）、読み取りが完了したと判定した場合（ステップＳ１５：ＹＥＳ）、読み取った原稿の合計頁数を１加算し（ステップＳ１６）、ステップＳ１６で加算して得られる合計頁数が所定頁数未満であるか否かを判定する（ステップＳ１７）。
【００２６】
ステップＳ１７において、ステップＳ１６で加算して得られる合計頁数が所定頁数以上であると判定した場合（ステップＳ１７：ＮＯ）、制御部１０は、合計頁数を０にリセットし（ステップＳ１８）、読み取った原稿に対して送信すべき電子メールを全て送信し（ステップＳ１９）、処理をステップＳ１３に戻す。
これらの処理により、画像メモリ２０においてメモリオーバーが発生するのを低減することができる。
【００２７】
ステップＳ１７において所定頁数未満であると判定した場合（ステップＳ１７：ＹＥＳ）、制御部１０は、以降の処理について選択を催促する画面を表示部１７に表示する（ステップＳ２１）。
なお、この画面においては、以降の処理として、「次の原稿の読み取りを継続して行う」か、「送信してファクシミリ通信を終了する」か、又は、「送信してから次の原稿の読み取りを継続して行う」かの何れかを選択するように促す。
【００２８】
制御部１０は、画面の表示内容に対する選択指示を操作部１５において受け付け（ステップＳ２２）、「次の原稿の読み取りを継続して行う」と選択指示されたか否か、すなわち、原稿の読み取りを継続するか否かを判定する（ステップＳ２３）。
ステップＳ２３において次の原稿の読み取りを継続して行うと判定した場合（ステップＳ２３：ＹＥＳ）、制御部１０は、処理をステップＳ１３に戻す。
これらの処理により、継続して原稿の読み取りを行うことができる。
【００２９】
ステップＳ２３において次の原稿の読み取りを継続して行わないと判定した場合（ステップＳ２３：ＮＯ）、制御部１０は、「送信してから次の原稿の読み取りを継続して行う」と選択指示されたか否か、すなわち、送信して次の原稿を読み取るか否かを判定する（ステップＳ２４）。
ステップＳ２４において、「送信してファクシミリ通信を終了する」と選択指示されることにより、送信して終了すると判定した場合（ステップＳ２４：ＮＯ）、制御部１０は、読み取った原稿に対して送信すべき電子メールを全て送信し（ステップＳ２５）、処理を終了する。
これらの処理により、送信処理を完了して処理を終了することができる。
【００３０】
ステップＳ２４において、送信して次の原稿を読み取ると判定した場合（ステップＳ２４：ＹＥＳ）、制御部１０は、読み取った原稿に対して送信すべき電子メールを全て送信し（ステップＳ２６）、処理をステップＳ１３に戻す。
これらの処理により、原稿の読み取りを一旦停止し、送信処理が完了してから再び原稿の読み取りを継続して行うことができる。
【００３１】
一方、ステップＳ１５において１頁の読み取りが完了していないと判定した場合（ステップＳ１５：ＮＯ）、制御部１０は、画像メモリ２０がメモリオーバーであるか否かを判定し（ステップＳ３１）、メモリオーバーではないと判定した場合（ステップＳ３１：ＮＯ）、ステップＳ１５に処理を戻す。
ステップＳ３１においてメモリオーバーであると判定した場合（ステップＳ３１：ＹＥＳ）、以降の処理について選択を催促する画面を表示部１７に表示する（ステップＳ３２）。
なお、この画面においては、以降の処理として、「送信してファクシミリ通信を終了する」か、又は、「送信してから次の原稿の読み取りを継続して行う」か、「ファクシミリ通信を中止する」かの何れかを選択するように促す。
【００３２】
制御部１０は、表示内容に対しての選択指示を操作部１５において受け付け（ステップＳ３３）、「送信してファクシミリ通信を終了する」と選択指示されたか否か、すなわち、送信して終了するか否かを判定する（ステップＳ３４）。
ステップＳ３４において、送信して終了すると判定した場合（ステップＳ３４：ＹＥＳ）、制御部１０は、読み取った原稿に対して送信すべき電子メールを全て送信し（ステップＳ３５）、処理を終了する。
これらの処理により、画像メモリ２０においてメモリオーバーが発生した場合であっても、読み取った原稿については、送信処理を行うことができる。
【００３３】
ステップＳ３４において、送信して終了しないと判定した場合（ステップＳ３４：ＮＯ）、制御部１０は、「送信してから次の原稿の読み取りを継続して行う」と選択指示されたか否か、すなわち、送信して次の原稿を読み取るか否かを判定する（ステップＳ３６）。
ステップＳ３６において、送信して次の原稿を読み取ると判定した場合（ステップＳ３６：ＹＥＳ）、制御部１０は、読み取った原稿に対して送信すべき電子メールを全て送信し（ステップＳ３７）、処理をステップＳ１３に戻す。
これらの処理により、画像メモリ２０においてメモリオーバーが発生した場合であっても、ユーザの指示どおりに、読み取った原稿についての送信処理が完了してから、再び原稿の読み取りを継続して行うことができる。
【００３４】
ステップＳ３６において、「ファクシミリ通信を中止する」と選択指示されることにより、送信しないと判定した場合（ステップＳ３６：ＮＯ）、制御部１０は、読み取って得られた画像データを消去したり、送信すべき電子メールを削除したりすることで、送信を中止し（ステップＳ３８）、処理を終了する。
これらの処理により、画像メモリ２０においてメモリオーバーが発生した場合であっても、ユーザの指示どおりに、送信を中止することができる。
【００３５】
【発明の効果】
第１発明によれば、原稿を読み取った後に、画像データを送信してから次の原稿の読み取りを継続して行うか、又は、画像データを送信してファクシミリ通信を終了するかの何れかの選択指示を受け付ける手段を備えることにより、ユーザの都合に合わせて、原稿の読み取りの継続又は送信後終了することができるので有用である。
【００３６】
第２発明によれば、原稿を所定頁数読み取る都度、次の原稿の読み取りを継続して行うか、画像データを送信してファクシミリ通信を終了するか、又は、画像データを送信してから次の原稿の読み取りを継続して行うかの何れかの選択指示を受け付ける手段を備えることにより、原稿の読み取りを継続し、ある段階で一旦読み取りを停止して送信処理を行う、又は、読み取りを継続して行わずに送信して終了するなど、ユーザの所望のタイミングで送信処理を行うことができるので有用である。
【００３７】
第３発明によれば、原稿を所定頁数読み取る都度、又は、原稿を読み取って画像データを所定データ量作成する都度、画像データの送信を行うようにしてあることにより、画像メモリにおいてメモリオーバーが発生するのを低減させることができるので、一段と有用である。
【図面の簡単な説明】
【図１】本発明に係るファクシミリ装置が接続された態様の通信ネットワーク構成を示す模式図である。
【図２】本発明に係るファクシミリ装置の内部構成例を示すブロック図である。
【図３】本発明に係るファクシミリ装置の制御部の処理手順を示すフローチャートである。
【図４】本発明に係るファクシミリ装置の制御部の処理手順を示すフローチャートである。
【図５】本発明に係るファクシミリ装置の制御部の処理手順を示すフローチャートである。
【符号の説明】
１、１Ａ、１Ｂ、１Ｃ、１Ｄ  ファクシミリ装置（ＩＮＦＡＸ）
２Ａ、２Ｂ  パーソナルコンピュータ（ＰＣ）
３Ａ、３Ｂ  メールサーバ（ＭＳ）
４  ルータ
１０  制御部
１１  バス
１２  読取部
１３  記録部
１５  操作部
１６  ＬＡＮインタフェース（ＬＡＮＩＦ）
１７  表示部
１８  ＲＯＭ
１９  ＲＡＭ
２０  画像メモリ
２１  モデム
２２  回線制御部（ＮＣＵ）
２３  ハードディスク（ＨＤ）
２４  データ変換部
ＩＮ  インターネット
ＬＡＮ  ローカルエリアネットワーク
ＰＳＴＮ  公衆電話回線網
【図１】
2004266782.tif 000003
【図２】
2004266782.tif 000004
【図３】
2004266782.tif 000005
【図４】
2004266782.tif 000006
【図５】
2004266782.tif 000007